(57)【要約】  表示制御装置（１００）に、操作指示の入力のために押下される指示画像（Ｔ１、Ｔ２、Ｔ３）が１又は複数配置された操作画面（Ｗ）を予め定められた基準輝度で表示する表示部（７４）と、前記指示画像（Ｔ１、Ｔ２、Ｔ３）の押下を検知する押下検知部（１２）と、前記押下検知部（１２）により前記指示画像（Ｔ１）の押下が検知された場合に、前記操作画面（Ｗ）の輝度を、前記基準輝度から前記押下された前記指示画像（Ｔ１）に予め対応付けられた変化量分変化させる輝度調整部（１４）と、を備える。
2015115370.tif 000002
【特許請求の範囲】
【請求項１】
操作指示の入力のために押下される指示画像が１又は複数配置された操作画面を予め定められた基準輝度で表示する表示部と、
前記指示画像の押下を検知する押下検知部と、
前記押下検知部により前記指示画像の押下が検知された場合に、前記操作画面の輝度を、前記基準輝度から前記押下された前記指示画像に予め対応付けられた変化量分変化させる輝度調整部と、
を備える表示制御装置。
【請求項２】
前記押下検知部により各前記指示画像の押下が検知された頻度を記憶する頻度記憶部と、
前記押下検知部により前記指示画像の押下が検知された場合に、前記頻度記憶部に記憶されている当該指示画像の前記頻度を更新する頻度更新部と、
前記頻度記憶部に記憶されている前記頻度が第１頻度である第１の前記指示画像に対応付けられた変化量を、前記頻度記憶部に記憶されている前記頻度が前記第１頻度よりも低い第２頻度である第２の前記指示画像に対応付けられた変化量よりも大きくする変化量更新部と、
を更に備える請求項１に記載の表示制御装置。
【請求項３】
前記押下検知部により前記指示画像の押下が検知された場合に、当該押下時の押下力を検出する押下力検出部と、
前記押下検知部により前記指示画像の押下が検知された場合に、前記押下力検出部により検出された押下力が第１押下力であるときは、当該指示画像に対応付けられた変化量を、前記押下力検出部により検出された押下力が前記第１押下力よりも小さな第２押下力であるときの変化量よりも大きくする変化量更新部と、
を更に備える請求項１に記載の表示制御装置。
【請求項４】
前記押下検知部により前記指示画像の押下が検知された場合に、前記表示部を予め定められた基準振幅で振動させる振動駆動部と、
前記押下検知部により前記指示画像の押下が検知された場合に前記振動駆動部が前記表示部を振動させるときの振幅を、前記基準振幅から前記押下された前記指示画像に予め対応付けられた変化量分変化させる振幅調整部と、
を更に備える請求項１に記載の表示制御装置。
【請求項５】
請求項１に記載の表示制御装置と、
前記押下検知部により前記指示画像の押下が検知された場合に、当該指示画像が示す操作指示を受け付ける指示受付部と、
を備える電子機器。
【発明の詳細な説明】
【技術分野】
【０００１】
本発明は、表示制御装置及び当該表示制御装置を備えた電子機器に関し、特に、ユーザーに操作内容を認識させる技術に関する。
【背景技術】
【０００２】
従来から、タッチパネルを有する電子機器が知られている。例えば、下記特許文献１には、上面から順に、透過性のタッチパネルと、入力用の記号が印刷された記号印刷フィルムと、記号印刷フィルムを照明するバックライトデバイスと、が積層されたキーボード装置が記載されている。このキーボード装置には、更に、タッチパネルへのタッチの検知に連動して作動する振動モーターが設けられている。これにより、操作者が記号の入力のためタッチパネルをタッチしたときに、タッチパネルがタッチされたことを操作者に報知することが記載されている。【０００３】
また、下記特許文献２には、ＬＣＤ上にタッチパネルを設置した操作表示装置が記載されている。この操作表示装置にも、更に、タッチパネルに振動を与える駆動部材が設けられている。そして、操作者が操作画面内において予め選択操作が禁止されている領域（選択禁止領域）を操作した場合に、タッチパネルに振動を与えることが記載されている。これにより、操作者が禁止されている選択操作を行おうとしたときに、操作者へ警告を報知することが記載されている。
【先行技術文献】
【特許文献】
【０００４】
【特許文献１】特開２００８−１１７３７１号公報
【特許文献２】特開２００６−１８５８２号公報
【発明の概要】
【０００５】
上記従来技術を用いることで、操作指示の入力のために押下されるボタン等のソフトキー（指示画像）をユーザーが押下したときに、タッチパネルを振動させることができる。これにより、ユーザーは、タッチパネルをタッチして操作指示の入力を行ったことを認識することができる。しかし、ユーザーは、当該操作指示の入力に応じて特有の操作画面が表示される等しない限り、どのような操作指示の入力を行ったのかを迅速に認識することはできなかった。
【０００６】
本発明の目的は、どの操作指示の入力を行ったのかをユーザーに迅速に認識させることができる表示制御装置及び電子機器を提供することにある。
【０００７】
本発明の一局面に係る表示制御装置は、操作指示の入力のために押下される指示画像が１又は複数配置された操作画面を予め定められた基準輝度で表示する表示部と、前記指示画像の押下を検知する押下検知部と、前記押下検知部により前記指示画像の押下が検知された場合に、前記操作画面の輝度を、前記基準輝度から前記押下された前記指示画像に予め対応付けられた変化量分変化させる輝度調整部と、を備える。
【０００８】
本発明の他の局面に係る電子機器は、前記表示制御装置と、前記押下検知部により前記指示画像の押下が検知された場合に、当該指示画像が示す操作指示を受け付ける指示受付部と、を備える。
【０００９】
本発明によれば、どの操作指示の入力を行ったのかをユーザーに迅速に認識させることができる表示制御装置及び電子機器が提供される。
【図面の簡単な説明】
【００１０】
【図１】図１は、本発明の一実施形態に係る電子機器の概略構成図である。
【図２】図２は、本発明の一実施形態に係る表示制御装置の電気的構成を示すブロック図である。
【図３Ａ】図３Ａは、表示装置の概略断面図である。
【図３Ｂ】図３Ｂは、上方から見た表示装置の外観図である。
【図４】図４は、操作画面の一例を示す説明図である。
【図５】図５は、各ソフトキーに対応付けられた変化量の一例を示す説明図である。
【図６】図６は、操作画面の輝度の変化の一例を示す説明図である。
【図７】図７は、各ソフトキーの押下が検知された頻度の一例を示す説明図である。
【図８】図８は、ソフトキーの押下力と変化量の更新度合との関係の一例を示す説明図である。
【図９】図９は、ソフトキーの押下力と変化量の更新度合との関係の図８とは別の一例を示す説明図である。
【発明を実施するための形態】
【００１１】
（第１実施形態）
以下、本発明に係る電子機器の一実施形態を図面に基づいて説明する。図１は、本発明の一実施形態に係る複合機１（電子機器）の概略構成図である。図１に示すように、複合機１は、原稿読取部５と、原稿給送部６と、本体部８と、操作部７と、を備えている。
【００１２】
原稿読取部５は、本体部８の上部に配設されている。原稿読取部５は、露光ランプ及びＣＣＤ（Charge Coupled Device）等からなるスキャナー部５１と、ガラス等の透明部材により構成された原稿台５２及び原稿読取スリット５３と、を備えている。
【００１３】
スキャナー部５１は、図略の駆動部によって移動可能に構成されている。スキャナー部５１は、原稿台５２に載置された原稿を読み取るときは、原稿台５２に対向する位置で原稿面に沿って移動し、原稿画像を走査しつつ取得した画像データを後述の制御部１０へ出力する。スキャナー部５１は、原稿給送部６により給送された原稿を読み取るときは、原稿読取スリット５３と対向する位置に移動する。そして、スキャナー部５１は、原稿読取スリット５３を介して原稿給送部６による原稿の搬送動作と同期して原稿の画像を取得し、画像データを後述の制御部１０へ出力する。
【００１４】
原稿給送部６は、原稿読取部５の上方に配設されている。原稿給送部６は、原稿を載置するための原稿載置部６１と、画像読み取り済みの原稿を排出するための原稿排出部６２と、原稿搬送機構６３と、を備えている。原稿搬送機構６３は、原稿載置部６１に載置された原稿を１枚ずつ繰り出して原稿読取スリット５３に対向する位置へ搬送後、原稿を原稿排出部６２へ排出する。
【００１５】
本体部８は、複数の給紙カセット４６１と、給紙カセット４６１又は手差しトレイ４６２から用紙を１枚ずつ繰り出して画像形成部４へ搬送する給紙ローラー４１２と、搬出されてきた用紙に画像を形成する画像形成部４と、画像が形成された用紙が排出されるスタックトレイ４７及び排出トレイ４８と、を備えている。更に、本体部８の内部には、通信部９と、制御部１０と、が設けられている。
【００１６】
画像形成部４は、用紙搬送部４１と、光走査装置４２と、感光体ドラム４３と、現像部４４と、転写部４５と、定着部４６と、を備えている。
【００１７】
用紙搬送部４１は、画像形成部４内の用紙搬送路中に設けられている。用紙搬送部４１は、給紙ローラー４１２によって搬送されてきた用紙を感光体ドラム４３に供給する搬送ローラー４１３や、用紙をスタックトレイ４７まで搬送する搬送ローラー４１４や、用紙を排出トレイ４８まで搬送する搬送ローラー４１５等を備えている。
【００１８】
光走査装置４２は、制御部１０に入力された画像データに基づいてレーザー光を出力する。光走査装置４２は、このレーザー光によって感光体ドラム４３を走査することで、感光体ドラム４３上に静電潜像を形成する。
【００１９】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００２０】
操作部７は、情報を表示するための表示装置７１と、ユーザーに各種操作指示の入力を行わせるための操作キー部７２と、を備えている。
【００２１】
通信部９は、ＬＡＮ（Ｌｏｃａｌ  Ａｒｅａ  Ｎｅｔｗｏｒｋ）等のネットワークや電話回線に接続されている。通信部９は、パソコンやファクシミリ装置等の外部装置との間で通信を行う。例えば、通信部９は、電話回線を介して、原稿読取部５によって読み取られた画像データを他のファクシミリ装置へ送信する。通信部９は、電話回線を介して、他のファクシミリ装置から送信されてきた画像データを受信する。通信部９は、ネットワークを介して、原稿読取部５によって読み取られた画像データを外部装置へ送信する。通信部９は、ネットワークを介して、外部装置から送信されてきた画像データを受信する。
【００２２】
制御部１０は、原稿読取部５、原稿給送部６、画像形成部４、操作部７、及び通信部９に接続されている。制御部１０は、これら各部の動作の制御を司る。尚、制御部１０及び操作部７は、本発明の一実施形態に係る表示制御装置１００を構成する。
【００２３】
制御部１０は、例えば、ＣＰＵ（Ｃｅｎｔｒａｌ  Ｐｒｏｃｅｓｓｉｎｇ  Ｕｎｉｔ）、ＣＰＵによって実行される種々のプログラムやその実行に必要なデータ等を予め記憶するＲＯＭ（Ｒｅａｄ  Ｏｎｌｙ  Ｍｅｍｏｒｙ）、ＣＰＵのいわゆるワーキングメモリとなるＲＡＭ（Ｒａｎｄｏｍ  Ａｃｃｅｓｓ  Ｍｅｍｏｒｙ）及びこれらの周辺回路を備えている。
【００２４】
以下、表示制御装置１００について詳述する。図２は、本発明の一実施形態に係る表示制御装置１００の電気的構成を示すブロック図である。図３Ａは、表示装置７１の概略断面図である。図３Ｂは、上方（図３Ａに示す＋Ｚ方向）から見た表示装置７１の外観図である。
【００２５】
図２に示すように、操作部７は、上記のように、表示装置７１と、操作キー部７２と、を備えている。表示装置７１は、図３Ａに示すように、上方（図３Ａにおける＋Ｚ方向）から順に、タッチパネル７３と、液晶ディスプレイ（以下、ＬＣＤ（Ｌｉｑｕｉｄ  Ｃｒｙｓｔａｌ  Ｄｉｓｐｌａｙ））７４（表示部）と、振動素子７５と、が積層されて構成されている。
【００２６】
タッチパネル７３は、例えば、静電容量方式のセンサーを有している。尚、タッチパネル７３は、静電容量方式のセンサーを有する構成に限らず、例えば抵抗膜方式のセンサーを有する構成であってもよい。タッチパネル７３は、図２の実線部に示すように、座標検出部７３ａとして機能する。座標検出部７３ａは、ユーザーがタッチパネル７３の表面をタッチしたことにより、静電容量に変化が見られた位置を検出する。そして、座標検出部７３ａは、検出した位置を図３Ｂに示すＸ方向及びＹ方向の二次元座標で示す検出信号を制御部１０へ出力する。
【００２７】
ＬＣＤ７４は、不図示の液晶パネルとバックライトとを備えている。液晶パネルには、画素毎に所定の方向を向いた複数の液晶が配置されている。バックライトは、例えばＬＥＤ（Ｌｉｇｈｔ  Ｅｍｉｔｔｉｎｇ  Ｄｉｏｄｅ）により構成され、液晶パネルの下方側（図３Ａの−Ｚ方向側）に設けられている。
【００２８】
液晶パネルの各液晶に印加される電界は、後述の表示制御部１１により調整される。バックライトは、後述の表示制御部１１による制御の下、液晶パネルの下方側から液晶パネルの全面を照明する。つまり、各液晶がバックライトからの照明光を透過若しくは遮断させることで、各液晶に対応する各画素からなる画像が液晶パネルの表面に表示される。
【００２９】
振動素子７５は、例えば、ピアゾ素子等の圧電素子で構成されている。振動素子７５は、図３Ｂに示すように、ＬＣＤ７４の下方側（図３Ａの−Ｚ方向側）において、ＬＣＤ７４の４隅とＬＣＤ７４の上辺下辺それぞれの中央部の計６箇所に設けられている。振動素子７５は、後述の振動駆動部１９から電気信号（電流、電圧）が与えられると、当該電気信号の信号レベルに応じた振幅で上下方向（図３ＡにおけるＺ方向）に振動する。これにより、振動素子７５は、ＬＣＤ７４全体を振動させる。
【００３０】
操作キー部７２は、ユーザーに各種操作指示の入力を行わせるための各種ハードキーである。例えば、操作キー部７２には、ユーザーが各機能の実行開始指示を入力するためのスタートキーや、数字や記号等を入力するためのテンキー等のハードキーが含まれる。
【００３１】
制御部１０は、操作部７の動作を制御するために、図２の実線部に示すように、表示制御部１１、押下検知部１２、指示受付部１３、輝度調整部１４及び変化量記憶部１５として機能する。
【００３２】
表示制御部１１は、操作指示の入力のために押下されるソフトキー（指示画像）が１又は複数配置された操作画面を予め定められた基準輝度でＬＣＤ７４に表示する。
【００３３】
図４は、操作画面Ｗの一例を示す説明図である。図４に示すように、例えば、操作画面Ｗには、コピー機能の設定操作を行う指示を入力するためのソフトキーＴ１と、ファクシミリ送信機能の設定操作を行う指示を入力するためのソフトキーＴ２と、スキャナー機能の設定操作を行う指示を入力するためのソフトキーＴ３と、が配置されている。当該操作画面Ｗを表す画像は、予めＲＯＭ等に記憶されている。
【００３４】
コピー機能とは、原稿読取部５及び／又は原稿給送部６を用いて原稿の画像を読み取らせ、当該読み取らせた画像を画像形成部４によって用紙に形成させる機能である。ファクシミリ送信機能とは、原稿読取部５及び／又は原稿給送部６を用いて原稿の画像を読み取らせ、当該読み取らせた画像を通信部９によって外部のファクシミリ装置へ送信させる機能である。スキャナー機能とは、原稿読取部５及び／又は原稿給送部６を用いて原稿の画像を読み取らせ、当該読み取らせた画像をＲＡＭ等に記憶したり、当該読み取らせた画像を通信部９によってパソコン等の外部装置へ送信する機能である。
【００３５】
表示制御部１１は、ＬＣＤ７４に表示させるための操作画面Ｗを表す画像をＲＯＭ等から取得する。そして、表示制御部１１は、液晶パネルに供給する電気信号（電流又は電圧）を調整することにより、当該取得した画像の各画素に対応する各液晶に印加する電界の大きさを調整する。そして、表示制御部１１は、バックライトに供給する電気信号（電流又は電圧）を調整することにより、液晶パネルの全面を予め定められた基準輝度で照明させる。これにより、ＬＣＤ７４に操作画面Ｗが表示される。尚、以下では、操作画面Ｗを基準輝度で表示するために表示制御部１１がバックライトに供給する電気信号を基準輝度信号と示す。
【００３６】
押下検知部１２は、座標検出部７３ａが出力した検出信号が示す座標位置に基づいて、操作画面Ｗに含まれるソフトキーが押下されたことを検知する。具体的には、図４に示すように、例えば、ユーザーがソフトキーＴ１をタッチしたとする。この場合、座標検出部７３ａ（図２）は、ソフトキーＴ１が表示されている領域内の座標位置を示す検出信号を出力する。押下検知部１２は、操作画面Ｗを表す画像をＲＯＭ等から取得し、当該検出信号が示す座標位置が、ソフトキーＴ１を表す画素に対応すると判断すると、ソフトキーＴ１が押下されたことを検知する。
【００３７】
指示受付部１３は、押下検知部１２によりソフトキーの押下が検知された場合に、当該ソフトキーが示す操作指示を受け付ける。例えば、押下検知部１２によりソフトキーＴ１（図４）の押下が検知されたとする。この場合、指示受付部１３は、ソフトキーＴ１が示すコピー機能の設定操作を行う指示を受け付ける。指示受付部１３は、コピー機能の設定操作を行う指示を受け付けると、表示制御部１１によって、コピー機能の設定操作を行うための操作画面を表示させる。
【００３８】
輝度調整部１４は、押下検知部１２によりソフトキーの押下が検知された場合に、操作画面Ｗの輝度を、上記基準輝度から、押下されたソフトキーに予め対応付けられた変化量分変化させる。変化量記憶部１５は、例えば、ＲＡＭの一部の記憶領域により構成されている。変化量記憶部１５には、操作画面Ｗに含まれるソフトキーのそれぞれに対応付けて、上記の輝度調整部１４が用いる変化量が記憶されている。
【００３９】
図５は、各ソフトキーに対応付けられた変化量の一例を示す説明図である。例えば、図５に示すように、ＲＯＭには、ソフトキーＴ１（図４）に対応付けて変化量「２」を示す情報と、ソフトキーＴ２（図４）に対応付けて変化量「１」を示す情報と、ソフトキーＴ３（図４）に対応付けて変化量「０」を示す情報が記憶されている。当該ＲＯＭに記憶されている情報は、複合機１の初期動作時に制御部１０により読み出された後、変化量記憶部１５に記憶される。
【００４０】
例えば、図４に示すように操作画面Ｗが基準輝度でＬＣＤ７４に表示されている場合に、押下検知部１２によりソフトキーＴ１の押下が検知されたとする。この場合、輝度調整部１４は、変化量記憶部１５から、ソフトキーＴ１に対応付けられた変化量「２」を示す情報を取得する。そして、輝度調整部１４は、取得した情報が示す変化量「２」に基づき、表示制御部１１によって、基準輝度信号に比して例えば１．２倍の信号レベルの電気信号をバックライトへ供給させる。図６は、操作画面Ｗの輝度の変化の一例を示す説明図である。これにより、図６に示すように、操作画面Ｗの輝度は、基準輝度よりも変化量「２」に対応する輝度分明るくなる。
【００４１】
同様に、押下検知部１２によりソフトキーＴ２の押下が検知された場合、輝度調整部１４は、変化量記憶部１５からソフトキーＴ２に対応付けられた変化量「１」を示す情報を取得する。そして、輝度調整部１４は、取得した情報が示す変化量「１」に基づき、表示制御部１１によって、基準輝度信号に比して例えば１．１倍の信号レベルの電気信号をバックライトへ供給させる。これにより、操作画面Ｗの輝度は、基準輝度よりも変化量「１」に対応する輝度分明るくなる。
【００４２】
一方、押下検知部１２によりソフトキーＴ３の押下が検知された場合、輝度調整部１４は、変化量記憶部１５からソフトキーＴ３に対応付けられた変化量「０」を示す情報を取得する。この場合、輝度調整部１４は、取得した情報が示す変化量が「０」であるので、表示制御部１１によって、基準輝度信号と同じ信号レベルの電気信号を継続してバックライトへ供給させる。これにより、操作画面Ｗの輝度は、基準輝度よりも変化量「＋０」に対応する輝度分明るくなる。つまり、操作画面Ｗの輝度は、基準輝度と同じ輝度に維持される。
【００４３】
尚、輝度調整部１４は、上記のように、ソフトキーに対応付けられた変化量分、操作画面Ｗの輝度を基準輝度よりも明るくすることに代えて、ソフトキーに対応付けられた変化量分、操作画面Ｗの輝度を基準輝度よりも暗くするようにしてもよい。この場合、操作画面Ｗの輝度は、基準輝度よりも変化量に対応する輝度分暗くなる。
【００４４】
また、変化量記憶部１５に記憶されている変化量は、上記のように、０以上の数に限定されない。例えば、変化量記憶部１５に記憶されている変化量は、０未満（負）の数を含んでもよい。これに合わせて、輝度調整部１４は、ソフトキーに対応付けられた変化量が０未満の数を示すときは、表示制御部１１によって、基準輝度信号に比して当該変化量の絶対値に対応する分だけ低い電気信号をバックライトへ供給させてもよい。
【００４５】
このように、第１実施形態の構成によれば、ユーザーが操作指示の入力のためにソフトキーを押下したとき、押下したソフトキーに応じて操作画面Ｗの輝度が各ソフトキーに応じた変化量で変化する。このため、ユーザーは、当該ソフトキーが示す操作指示の入力に応じて特有の操作画面Ｗが表示される等しなくても、どのソフトキーを押下したのか、つまり、どの操作指示の入力を行ったのかを迅速に認識することができる。
【００４６】
尚、本発明は第１実施形態に限定されるものではない。例えば、表示装置７１は、振動素子７５を備えなくてもよい。
【００４７】
（第２実施形態）
第２実施形態は、図２の破線部に示すように、制御部１０が、更に、頻度記憶部１６、頻度更新部１７、及び変化量更新部１８として機能することを特徴とする。第２実施形態において、第１実施形態と同じものは、第１実施形態で用いた符号と同一の符号を付し、説明を省略する。
【００４８】
頻度記憶部１６は、例えば、ＲＡＭの一部の記憶領域により構成されている。頻度記憶部１６には、後述の頻度更新部１７によって、操作画面Ｗに含まれるソフトキーのそれぞれに対応付けて押下検知部１２により各ソフトキーの押下が検知された頻度が記憶される。頻度更新部１７は、押下検知部１２によりソフトキーの押下が検知された場合に、頻度記憶部１６に記憶されている、当該ソフトキーの押下が検知された頻度を更新する。
【００４９】
例えば、ソフトキーの押下が検知された累積回数が多い程、当該ソフトキーの押下が検知される頻度が高いと考えられる。つまり、ソフトキーの押下が検知された累積回数は、当該ソフトキーの押下が検知された頻度を示すものと考えられる。このため、頻度更新部１７は、押下検知部１２によりソフトキーの押下が検知された場合、当該ソフトキーの押下が検知された累積回数を当該ソフトキーに対応付けて頻度記憶部１６に記憶する。
【００５０】
図７は、各ソフトキーの押下が検知された頻度の一例を示す説明図である。例えば、図７は、ソフトキーＴ１の押下が１０回検知されたことにより、頻度更新部１７が、頻度記憶部１６に記憶されているソフトキーＴ１の押下が検知された累積回数を「１０」に更新したことを示している。また、ソフトキーＴ２の押下が５回検知されたことにより、頻度更新部１７が、頻度記憶部１６に記憶されているソフトキーＴ２の押下が検知された累積回数を「５」に更新したことを示している。また、ソフトキーＴ３の押下が１回検知されたことにより、頻度更新部１７が、頻度記憶部１６に記憶されているソフトキーＴ３の押下が検知された累積回数を、「１」に更新したことを示している。
【００５１】
このとき、更に、例えば、押下検知部１２によりソフトキーＴ１の押下が検知されると、頻度更新部１７は、頻度記憶部１６に記憶されているソフトキーＴ１に対応づけられた累積回数「１０」を読み出して１を累積加算する。そして、頻度更新部１７は、当該累積加算した結果「１１」により、頻度記憶部１６に記憶されているソフトキーＴ１に対応付けられた累積回数を更新する。
【００５２】
尚、頻度更新部１７は、複合機１のシャットダウン時に、頻度記憶部１６に記憶されている情報をＲＯＭに記憶する。一方、頻度更新部１７は、複合機１の初期動作時には、シャットダウン時に記憶した当該情報をＲＯＭから読み出して頻度記憶部１６に記憶する。ただし、これに限らず、頻度更新部１７は、複合機１のシャットダウン時に、頻度記憶部１６に記憶されている情報をＲＯＭに記憶しないようにしてもよい。つまり、複合機１をシャットダウンする度に、頻度記憶部１６に記憶されている情報を削除するようにしてもよい。また、頻度更新部１７は、例えば正午等の予め定められた時点で、頻度記憶部１６に記憶している情報を削除するようにしてもよい。
【００５３】
変化量更新部１８は、頻度記憶部１６に記憶されている累積回数（頻度）が第１累積回数（第１頻度）である第１のソフトキーに対応付けられた変化量を、頻度記憶部１６に記憶されている累積回数が第１累積回数よりも小さい（低い）第２累積回数（第２頻度）である第２のソフトキーに対応付けられた変化量よりも大きくなるように更新する。
【００５４】
尚、変化量更新部１８は、例えば、頻度更新部１７が頻度記憶部１６に記憶している情報を更新したときや、複合機１の初期動作時や、或いは、定期的に等、予め定められた時期に上記の更新を行う。
【００５５】
例えば、図７に示すように、頻度記憶部１６に、ソフトキーＴ１の押下が検知された累積回数「１０」と、ソフトキーＴ２の押下が検知された累積回数「５」と、ソフトキーＴ３の押下が検知された累積回数「１」と、が記憶されているとする。また、図５に示すように、変化量記憶部１５には、ソフトキーＴ１に対応付けて変化量「２」を示す情報と、ソフトキーＴ２に対応付けて変化量「１」を示す情報と、ソフトキーＴ３に対応付けて変化量「０」を示す情報と、が記憶されているとする。
【００５６】
この場合、変化量更新部１８は、押下が検知された累積回数が最も少ないソフトキーＴ３に対応付けられた変化量は「０」であるので、ソフトキーＴ３に対応付けられた変化量を更新せずに「０」のままにする。
【００５７】
一方、変化量更新部１８は、押下が検知された累積回数「５」のソフトキーＴ２に対応付けられた変化量「１」を、押下が検知された累積回数が「５」よりも少ない「１」のソフトキーＴ３に対応付けられた変化量「０」よりも大きくなるように、例えば「２」に更新する。更に、変化量更新部１８は、押下が検知された累積回数「１０」のソフトキーＴ１に対応付けられた変化量を、押下が検知された累積回数が「１０」よりも少ない「５」のソフトキーＴ２に対応付けられた変化量「２」よりも大きくなるように、例えば「３」に更新する。
【００５８】
尚、変化量更新部１８は、例えば図５に示すように、ソフトキーに対応付けられた変化量が、押下が検知された累積回数が少ない程小さくなるように既に記憶されている場合は、変化量記憶部１５に記憶されている累積回数を更新しないようにしてもよい。
【００５９】
また、変化量更新部１８は、押下が検知された累積回数が予め定められた閾値を超えるソフトキーの変化量を、押下が検知された累積回数が予め定められた閾値を超えないソフトキーの変化量よりも大きくなるように更新してもよい。
【００６０】
例えば、予め定められた閾値を「３」であるとする。この場合、押下が検知された累積回数が「３」を超えているソフトキーＴ１及びソフトキーＴ２の変化量を、共に、押下が検知された累積回数が「３」を超えないソフトキーＴ３の変化量よりも大きい「２」に更新してもよい。同様にして、変化量更新部１８は、複数の異なる閾値を用いてソフトキーの押下の頻度を段階的に複数の範囲に分類し、各範囲に対応付けて、頻度が小さい範囲程ソフトキーに対応付けられた変化量を更新する度合を小さくするようにしてもよい。つまり、ソフトキーに対応付けられた変化量を、ソフトキーの押下の頻度に応じて段階的に更新するようにしてもよい。
【００６１】
このように、第２実施形態の構成によれば、ソフトキーに対応付けられた変化量が、押下が検知された累積回数が少ない程小さくなるように更新される。このため、押下される頻度の高いソフトキーを押下したときほど、操作画面Ｗの輝度が大きく変化する。これにより、ユーザーは、入力頻度が高い操作指示の入力を行ったことを認識し易くなる。
【００６２】
（第３実施形態）
第３実施形態は、図２の太線破線部に示すように、タッチパネル７３が、更に、押下力検出部７３ｂとして機能することを特徴とする。押下力検出部７３ｂは、押下検知部１２によりソフトキーの押下が検知された場合に、当該押下時の押下力を検出する。
【００６３】
また、変化量更新部１８が、押下検知部１２によりソフトキーの押下が検知された場合に、押下力検出部７３ｂにより検出された押下力が第１押下力であるときは、頻度記憶部１６に記憶されている当該ソフトキーに対応付けられた変化量を、押下力検出部７３ｂにより検出された押下力が第１押下力よりも小さな第２押下力であるときの変化量よりも大きくなるように更新することを特徴とする。第３実施形態において、第１実施形態と同じものは、第１実施形態で用いた符号と同一の符号を付し、説明を省略する。
【００６４】
押下力検出部７３ｂは、ユーザーがタッチパネル７３の表面をタッチしたときの静電容量の変化量を検出し、当該静電容量の変化量を示す検出信号を制御部１０へ出力する。ユーザーがタッチパネル７３の表面を押下する力が強いほど、ユーザーがタッチパネル７３の表面に触れている領域の面積が大きくなり、静電容量の変化量が大きくなる。つまり、押下力検出部７３ｂは、静電容量の変化量がユーザーによるタッチパネル７３の押下力の大きさを示しているものとして、静電容量の変化量を示す検出信号を制御部１０へ出力する。
【００６５】
尚、上記のように、ユーザーがタッチパネル７３の表面を押下する力が強いほど、ユーザーがタッチパネル７３の表面に触れている領域の面積が大きい。つまり、ユーザーがタッチパネル７３の表面に触れている領域の面積は、ユーザーによるタッチパネル７３の押下力の大きさを示していると考えられる。このため、押下力検出部７３ｂは、静電容量の変化量を示す検出信号を出力することに代えて、ユーザーがタッチパネル７３の表面をタッチしたときに静電容量に変化が見られた領域の面積を算出し、当該面積を示す検出信号を制御部１０へ出力するようにしてもよい。
【００６６】
次に、第３実施形態における変化量更新部１８について詳述する。例えば、図５に示すように、変化量記憶部１５には、ソフトキーＴ１に対応付けて変化量「２」を示す情報と、ソフトキーＴ２に対応付けて変化量「１」を示す情報と、ソフトキーＴ３に対応付けて変化量「０」を示す情報が記憶されているとする。
【００６７】
図８は、ソフトキーの押下力と変化量の更新度合との関係の一例を示す説明図である。また、図８に示すように、ＲＯＭ等には、ソフトキーの押下力Ｐと、変化量更新部１８が当該ソフトキーに対応付けられた変化量を更新する度合（以下、更新度合）Ｕと、を対応付ける情報が予め定められている。図８において、ソフトキーの押下力Ｐは、予め定められた２つの基準押下力Ｐ１（第１押下力）、Ｐ２（第２押下力）を用いて、基準押下力Ｐ１未満の範囲と基準押下力Ｐ１以上且つ基準押下力Ｐ２未満の範囲と基準押下力Ｐ２以上の範囲の３つの範囲に分類されている。
【００６８】
ここで、基準押下力Ｐ１は、基準押下力Ｐ２よりも小さい押下力に定められている。また、更新度合Ｕは、上記３つの範囲のうち、ソフトキーの押下力Ｐが小さいことを示す範囲になるほど、小さく定められている。つまり、押下力Ｐが基準押下力Ｐ１未満の範囲に対応付けて更新度合Ｕ「０」が定められている。押下力Ｐが基準押下力Ｐ１以上且つ基準押下力Ｐ２未満の範囲に対応付けて更新度合Ｕ「１」が定められている。押下力Ｐが基準押下力Ｐ２以上の範囲に対応付けて更新度合Ｕ「２」が定められている。尚、ソフトキーの押下力Ｐが基準押下力Ｐ１、Ｐ２であるときのそれぞれに対応する静電容量の変化量は、試験運転等の実験値に基づいて定められ、予めＲＯＭ等に記憶されている。
【００６９】
例えば、押下検知部１２によりソフトキーＴ１の押下が検知されたとする。そして、押下力検出部７３ｂが出力する検出信号が示す静電容量の変化量が、基準押下力Ｐ１に対応する静電容量の変化量よりも小さかったとする。この場合、変化量更新部１８は、ソフトキーＴ１の押下力Ｐが基準押下力Ｐ１未満であると判別する。このとき、変化量更新部１８は、図８に示す情報から、押下力Ｐが基準押下力Ｐ１未満であるときに対応付けられた更新度合Ｕ「０」を取得する。そして、変化量更新部１８は、取得した更新度合Ｕが「０」であるので、変化量記憶部１５に記憶されているソフトキーＴ１に対応付けられた変化量を更新せず「２」のまま更新しない。
【００７０】
一方、押下力検出部７３ｂが出力する検出信号が示す静電容量の変化量が、基準押下力Ｐ１に対応する静電容量の変化量以上であり、且つ、基準押下力Ｐ２に対応する静電容量の変化量未満であったとする。この場合、変化量更新部１８は、ソフトキーＴ１の押下力Ｐが基準押下力Ｐ１以上であり、且つ、基準押下力Ｐ２未満であると判別する。このとき、変化量更新部１８は、図８に示す情報から、押下力Ｐが基準押下力Ｐ１以上であり、且つ、基準押下力Ｐ２未満であるときに対応付けられた更新度合Ｕ「１」を取得する。そして、変化量更新部１８は、変化量記憶部１５に記憶されているソフトキーＴ１に対応付けられた変化量「２」に当該取得した更新度合「１」を加算する。これにより、変化量更新部１８は、変化量記憶部１５に記憶されているソフトキーＴ１に対応付けられた変化量を「３」に更新する。
【００７１】
また、押下力検出部７３ｂが出力する検出信号が示す静電容量の変化量が、基準押下力Ｐ２に対応する静電容量の変化量以上であったとする。この場合、変化量更新部１８は、ソフトキーＴ１の押下力Ｐが基準押下力Ｐ２以上であると判別する。このとき、変化量更新部１８は、図８に示す情報から、押下力Ｐが基準押下力Ｐ２以上であるときに対応付けられた更新度合Ｕ「２」を取得する。そして、変化量更新部１８は、変化量記憶部１５に記憶されているソフトキーＴ１に対応付けられた変化量「２」に当該取得した更新度合「２」を加算する。これにより、変化量更新部１８は、変化量記憶部１５に記憶されているソフトキーＴ１に対応付けられた変化量を「４」に更新する。
【００７２】
尚、第３実施形態において、変化量更新部１８は、上記図８に示すように、ソフトキーの押下力Ｐの範囲を段階的に定め（図８においては３段階）、更新度合Ｕを当該各範囲に対応付けて段階的に定めた情報（図８に示す情報）を用いることに限定されない。図９は、ソフトキーの押下力と変化量の更新度合との関係の図８とは別の一例を示す説明図である。例えば、変化量更新部１８は、図８に示す情報に代えて、図９に示すように、更新度合Ｕが、予め定められた基準押下力Ｐ０以上の場合に、押下力Ｐが小さい程小さくなるように、押下力Ｐに対応付けて連続的に変化するように定められた情報を用いるようにしてもよい。尚、当該基準押下力Ｐ０は、０以上の任意の値に定めてよい。
【００７３】
このように、第３実施形態の構成によれば、第１押下力でソフトキーを押下したときの変化量は、第１押下力よりも小さい第２押下力でソフトキーを押下したときの変化量よりも大きい。このため、ソフトキーを強く押下したときほど、操作画面Ｗの輝度が大きく変化する。これにより、ユーザーに、ソフトキーを強く押下していることを認識させ易くなる。
【００７４】
（第４実施形態）
第４実施形態は、図２の一点鎖線部に示すように、制御部１０が、更に、振動駆動部１９及び振動調整部２０として機能することを特徴とする。第４実施形態において、第１乃至第３実施形態と同じものは、第１乃至第３実施形態で用いた符号と同一の符号を付し、説明を省略する。
【００７５】
振動駆動部１９は、押下検知部１２によりソフトキーの押下が検知された場合に、振動素子７５に予め定められた信号レベルの電気信号（電流又は電圧）を供給する。これにより、振動駆動部１９は、ＬＣＤ７４を予め定められた基準振幅で振動させる。尚、以下では、ＬＣＤ７４を基準振幅で振動させるために、振動駆動部１９が振動素子７５に供給する電気信号を基準振幅信号と示す。
【００７６】
振動調整部２０は、押下検知部１２によりソフトキーの押下が検知された場合に振動駆動部１９がＬＣＤ７４を振動させるときの振幅を、上記基準振幅から、変化量記憶部１５に記憶されている、当該押下されたソフトキーに対応付けられた変化量分変化させる。
【００７７】
例えば、図５に示すように、変化量記憶部１５には、ソフトキーＴ１に対応付けて変化量「２」を示す情報と、ソフトキーＴ２に対応付けて変化量「１」を示す情報と、ソフトキーＴ３に対応付けて変化量「０」を示す情報が記憶されているとする。そして、例えば、押下検知部１２によりソフトキーＴ１の押下が検知されたとする。
【００７８】
この場合、振動調整部２０は、変化量記憶部１５から、ソフトキーＴ１に対応付けられた変化量「２」を示す情報を取得する。そして、振動調整部２０は、取得した情報が示す変化量「２」に基づき、振動駆動部１９によって、基準振幅信号に比して例えば１．２倍の信号レベルの電気信号を振動素子７５へ供給させる。これにより、ＬＣＤ７４は、基準振幅よりも変化量「２」に対応する振幅分大きく振動する。
【００７９】
一方、押下検知部１２によりソフトキーＴ３の押下が検知されたとする。この場合、振動調整部２０は、変化量記憶部１５からソフトキーＴ３に対応付けられた変化量「０」を示す情報を取得する。そして、振動調整部２０は、取得した情報が示す変化量が「０」であるので、振動駆動部１９によって、基準振動信号と同じ信号レベルの電気信号を振動素子７５へ供給させる。これにより、ＬＣＤ７４は、基準振幅よりも変化量「＋０」に対応する振幅分大きく振動する。つまり、ＬＣＤ７４は、基準振幅と同じ振幅で振動する。
【００８０】
尚、振動調整部２０は、上記のように、ソフトキーに対応付けられた変化量分、ＬＣＤ７４を振動させるときの振幅を基準振幅よりも大きくすることに代えて、ソフトキーに対応付けられた変化量分、基準振幅よりも小さくするようにしてもよい。つまり、この場合、ＬＣＤ７４は、基準振幅よりもソフトキーに対応付けられた変化量に対応する振幅分小さく振動する。
【００８１】
また、変化量記憶部１５に記憶されている変化量は、上記のように、０以上の数に限定されない。例えば、変化量記憶部１５に記憶されている変化量は、０未満（負）の数を含んでもよい。これに合わせて、振動調整部２０は、ソフトキーに対応付けられた変化量が０未満の数を示すときは、振動駆動部１９によって、ＬＣＤ７４を振動させるときの振幅を、基準振動信号に比して当該変化量の絶対値に対応する分だけ低い電気信号を振動素子７５へ供給させてもよい。
【００８２】
このように、第４実施形態の構成によれば、ユーザーが操作指示の入力のためにソフトキーを押下したとき、押下したソフトキーに応じてＬＣＤ７４が振動し、その振動の度合が各ソフトキーに応じた変化量で変化する。このため、ユーザーは、当該ソフトキーが示す操作指示の入力に応じて特有の操作画面Ｗが表示される等しなくても、どのソフトキーを押下したのか、つまり、どの操作指示の入力を行ったのかを迅速に認識することができる。
【００８３】
尚、本発明に係る表示制御装置１００は、上記複合機１に限らず、他の電子機器に搭載されてもよい。例えば、本発明に係る表示制御装置は、複写機、プリンター装置及びファクシミリ装置等の画像形成装置、スキャナー装置、パーソナルコンピュータ、携帯電話、電子レンジ、洗濯機、カーナビゲーション装置、ゲーム機等、あらゆる電子機器に搭載可能である。
【図１】
2015115370.tif 000003
【図２】
2015115370.tif 000004
【図３Ａ】
2015115370.tif 000005
【図３Ｂ】
2015115370.tif 000006
【図４】
2015115370.tif 000007
【図５】
2015115370.tif 000008
【図６】
2015115370.tif 000009
【図７】
2015115370.tif 000010
【図８】
2015115370.tif 000011
【図９】
2015115370.tif 000012
【手続補正書】
【提出日】平成27年9月24日(2015.9.24)
【手続補正１】
【補正対象書類名】明細書
【補正対象項目名】０００４
【補正方法】変更
【補正の内容】
【０００４】
【特許文献１】特開２０１１−１００２５９号公報
【特許文献２】特開２００６−１８５８２号公報
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
操作指示の入力のために押下される指示画像が１又は複数配置された操作画面を予め定められた基準輝度で表示する表示部と、
前記指示画像の押下を検知する押下検知部と、
前記押下検知部により前記指示画像の押下が検知された場合に、前記操作画面の輝度を、前記基準輝度から前記押下された前記指示画像に予め対応付けられた変化量分変化させる輝度調整部と、
前記押下検知部により前記指示画像の押下が検知された場合に、当該押下時の押下力を検出する押下力検出部と、
前記押下検知部により前記指示画像の押下が検知された場合に、前記押下力検出部により検出された押下力が第１押下力であるときは、当該指示画像に対応付けられた変化量を、前記押下力検出部により検出された押下力が前記第１押下力よりも小さな第２押下力であるときの変化量よりも大きくする変化量更新部と、
を備える表示制御装置。
【請求項２】
操作指示の入力のために押下される指示画像が１又は複数配置された操作画面を予め定められた基準輝度で表示する表示部と、
前記指示画像の押下を検知する押下検知部と、
前記押下検知部により前記指示画像の押下が検知された場合に、前記操作画面の輝度を、前記基準輝度から前記押下された前記指示画像に予め対応付けられた変化量分変化させる輝度調整部と、
前記押下検知部により前記指示画像の押下が検知された場合に、前記表示部を予め定められた基準振幅で振動させる振動駆動部と、
前記押下検知部により前記指示画像の押下が検知された場合に前記振動駆動部が前記表示部を振動させるときの振幅を、前記基準振幅から前記押下された前記指示画像に予め対応付けられた変化量分変化させる振幅調整部と、
を備える表示制御装置。
【手続補正３】
【補正対象書類名】明細書
【補正対象項目名】０００６
【補正方法】変更
【補正の内容】
【０００６】
本発明の目的は、どの操作指示の入力を行ったのかをユーザーに迅速に認識させることができる表示制御装置を提供することにある。
【手続補正４】
【補正対象書類名】明細書
【補正対象項目名】０００７
【補正方法】変更
【補正の内容】
【０００７】
本発明の一局面に係る表示制御装置は、操作指示の入力のために押下される指示画像が１又は複数配置された操作画面を予め定められた基準輝度で表示する表示部と、前記指示画像の押下を検知する押下検知部と、前記押下検知部により前記指示画像の押下が検知された場合に、前記操作画面の輝度を、前記基準輝度から前記押下された前記指示画像に予め対応付けられた変化量分変化させる輝度調整部と、前記押下検知部により前記指示画像の押下が検知された場合に、当該押下時の押下力を検出する押下力検出部と、前記押下検知部により前記指示画像の押下が検知された場合に、前記押下力検出部により検出された押下力が第１押下力であるときは、当該指示画像に対応付けられた変化量を、前記押下力検出部により検出された押下力が前記第１押下力よりも小さな第２押下力であるときの変化量よりも大きくする変化量更新部と、を備える。
本発明の他の一局面に係る表示制御装置は、操作指示の入力のために押下される指示画像が１又は複数配置された操作画面を予め定められた基準輝度で表示する表示部と、前記指示画像の押下を検知する押下検知部と、前記押下検知部により前記指示画像の押下が検知された場合に、前記操作画面の輝度を、前記基準輝度から前記押下された前記指示画像に予め対応付けられた変化量分変化させる輝度調整部と、前記押下検知部により前記指示画像の押下が検知された場合に、前記表示部を予め定められた基準振幅で振動させる振動駆動部と、前記押下検知部により前記指示画像の押下が検知された場合に前記振動駆動部が前記表示部を振動させるときの振幅を、前記基準振幅から前記押下された前記指示画像に予め対応付けられた変化量分変化させる振幅調整部と、を備える。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、どの操作指示の入力を行ったのかをユーザーに迅速に認識させることができる表示制御装置が提供される。
【国際調査報告】
2015115370.tif 000013
2015115370.tif 000014